(57)【要約】【課題】自然薯の成長を促進可能とするとともに、作業性を向上させることのできる自然薯栽培器及び自然薯栽培システムを提供する。【解決手段】自然薯栽培器１００は、自然薯の種芋および吸収根を育成するための土壌を内部に蓄積する第１育成部１０５と、自然薯の新生芋を育成するための土壌を内部に蓄積する第２育成部１１５と、を有する容器である栽培容器１２０と、第２育成部１１５の内部において、第１育成部１０５から水平方向に離間するに従って鉛直方向にも離間するように傾斜した傾斜面を形成する斜面部材１４０と、を備えている。このような自然薯栽培器１００であれば、第２育成部１１５においては、斜面部材１４０による傾斜面が形成されているため、種芋等に対し土中で斜めに成長するという自然薯の特性を考慮し、斜面部材の傾斜面に沿って新生芋を育成することができ、長くて形状のよい新生芋を栽培することができる。【選択図】図２
2019170282.tif 000002
【特許請求の範囲】
【請求項１】
自然薯の種芋および吸収根を育成するための土壌を内部に蓄積する第１育成部と、前記自然薯の新生芋を育成するための土壌を内部に蓄積する第２育成部と、を有する容器である栽培容器と、
前記第２育成部の内部において、前記第１育成部から水平方向に離間するに従って鉛直方向にも離間するように傾斜した傾斜面を形成する斜面部材と、
を備えたことを特徴とする自然薯栽培器。
【請求項２】
請求項１に記載の自然薯栽培器において、
前記斜面部材は、前記傾斜面を形成する面において傾斜する方向に延びた溝が形成されている
ことを特徴とする自然薯栽培器。
【請求項３】
請求項１又は請求項２に記載の自然薯栽培器において、
前記第２育成部および前記斜面部材は、断熱材で形成されている
ことを特徴とする自然薯栽培器。
【請求項４】
請求項１〜請求項３のいずれか１項に記載の自然薯栽培器において、
前記第２育成部の内部で、前記新生芋の伸長する方向に対して垂直をなす方向から前記新生芋に所定の圧力を加える加圧部材
を備えたことを特徴とする自然薯栽培器。
【請求項５】
請求項１〜請求項４のいずれか１項に記載の自然薯栽培器において、
前記第１育成部の内部を水平方向において所定の空間に分ける仕切部材
を備えたことを特徴とする自然薯栽培システム。
【発明の詳細な説明】
【技術分野】
【０００１】
本発明は、自然薯の栽培に要する労力を軽減することができる自然薯の栽培装置に関する。
【背景技術】
【０００２】
従来、用土に下端が埋設されたパイプを垂直方向に保持して１列又は複数列に配設し、パイプ内の上端部まで用土を充填し、用土に自然薯の種芋を植え付けて適宜施肥と注水を行いながら育成させ、成長した蔓をパイプ間あるいはパイプの近傍に立設された支柱又は支柱に張架された誘導ネットに這わせ、収穫時にはパイプを用土から抜き取りパイプの一端を水流圧による押圧して用土と生育した自然薯をパイプから取り出すようにした自然薯栽培器がある（例えば、特許文献１参照）。
【先行技術文献】
【特許文献】
【０００３】
【特許文献１】特開２００１４−０７６０３９号公報
【発明の概要】
【発明が解決しようとする課題】
【０００４】
ところが、自然薯は、自然の状態では、蔓や親芋に対し土中で斜めに成長するという特性もあるのに対し、上記の従来の自然薯栽培器では、パイプを垂直方向に保持しているため、自然薯を垂直方法に成長させるようになっている。したがって、上記の従来の自然薯栽培器では、自然薯の成長に悪影響を与えるという問題があった。また、上記従来の自然薯栽培器は、パイプを垂直方向に保持して１列又は複数列配置しているため、装置の高さが高くなり、取扱いがし難くなるため作業性が悪いという問題もあった。
【０００５】
本発明は、こうした問題に鑑みなされたもので、自然薯の成長を促進可能とするとともに、作業性を向上させることのできる自然薯栽培器及び自然薯栽培システムを提供することを目的とする。
【課題を解決するための手段】
【０００６】
本発明は、上述の課題の少なくとも一部を解決するためになされたものであり、以下の適用例として実現することが可能である。なお、本欄における括弧内の参照符号や補足説明等は、本発明の理解を助けるために、後述する実施形態との対応関係を示したものであって、本発明を何ら限定するものではない。
【０００７】
［適用例１］
適用例１の自然薯栽培器（１００，２００，３００，４００，５００）は、自然薯（５）の種芋（６）および吸収根（７）を育成するための土壌（１２）を内部に蓄積する第１育成部（１０５，５０５）と、自然薯の新生芋（８）を育成するための土壌を内部に蓄積する第２育成部（１１５）と、を有する容器である栽培容器（１２０）と、第２育成部の内部において、第１育成部から水平方向に離間するに従って鉛直方向にも離間するように傾斜した傾斜面（１４２）を形成する斜面部材（１４０）と、を備えたことを要旨とする。
【０００８】
このような自然薯栽培器では、自然薯の種芋および吸収根が第１育成部で育成され、自然薯の栽培の際に成長して長く伸張していく新生芋が第２育成部で育成されることとなる。そして、第２育成部においては、斜面部材による傾斜面が形成されているため、種芋等に対し土中で斜めに成長するという自然薯の特性を考慮し、斜面部材の傾斜面に沿って新生芋を育成することができる。つまり、このような自然薯栽培器であれば、長くて形状のよい新生芋を栽培することができる。
【０００９】
［適用例２］
適用例２の自然薯栽培器（１００，２００，３００，４００，５００）は、適用例１の自然薯栽培器において、斜面部材（１４０）は、傾斜面を形成する面において傾斜する方向に延びた溝（１４５）が形成されていることを要旨とする。
【００１０】
適用例２のような自然薯栽培器によれば、第２育成部の内部の傾斜面において傾斜する方向に延びた溝が形成されているため、新生芋を傾斜面の溝に沿って伸長させるように自然薯を栽培することができる。つまり、このような自然薯栽培器であれば、新生芋が溝に沿って真っすぐに育成されることとなり、より長くて形状の良い新生芋を栽培することができる。
【００１１】
［適用例３］
適用例３の自然薯栽培器（１００，２００，３００，４００，５００）は、適用例１又は適用例２の自然薯栽培器において、第２育成部（１１５，５０５）および斜面部材（１４０）は、断熱材で形成されていることを要旨とする。
【００１２】
適用例３のような自然薯栽培器によれば、第２育成部および斜面部材が断熱材で形成されているため、第２育成部で育成される新生芋を断熱材で囲まれるようにして、自然薯を栽培することができる。つまり、このような自然薯栽培器であれば、新生芋に対する外気における温度変化の影響を低減することができ、好適な温度下での自然薯を栽培して新生芋の育成をより促進することができることとなる。
【００１３】
［適用例４］
適用例４の自然薯栽培器（３００）は、適用例１〜適用例３のいずれかの自然薯栽培器において、第２育成部の内部で、新生芋の伸長する方向に対して垂直をなす方向から新生芋に所定の圧力を加える加圧部材（３５０）を備えたことを要旨とする。
【００１４】
ここで、新生芋に圧力を加える自然薯の栽培方法について説明する。一般的に、自然薯を育成すると、新生芋は伸長していくが、この新生芋の伸長する方向に対して垂直をなす方向に所定の圧力を加えると、圧力を加えない場合に比べて、より長くて形状の良い新生芋となることがわかっている。この点、適用例４のような自然薯栽培器によれば、加圧部材を備えているため、第２育成部の内部において新生芋の伸長する方向に対して垂直をなす方向から新生芋に所定の圧力を加えながら自然薯を栽培することができる。つまり、このような自然薯栽培器であれば、より長くて形状の良い新生芋を栽培することができる。
【００１５】
［適用例５］
適用例５の自然薯栽培器（４００）は、適用例１〜適用例４のいずれかの自然薯栽培器において、第１育成部の内部を水平方向において所定の空間に分ける仕切部材（４５０）を備えたことを要旨する。
【００１６】
適用例５のような自然薯栽培器によれば、仕切部材によって第１育成部の内部が水平方向において所定の空間に分けられているため、複数の自然薯を第１育成部に対して水平方向に並べて栽培することができる。つまり、このような自然薯栽培器であれば、一つの自然薯栽培器で複数の自然薯を効率よく栽培することができる。
【図面の簡単な説明】
【００１７】
【図１】自生栽培の場合の自然薯５の育ち方を説明するための図である。
【図２】自然薯栽培器１００の構成を示す図であり、（ａ）は正面に対して右斜め上からの斜視図であり、（ｂ）は蓋部１３０を取外した状態の正面に対して右斜め上からの斜視図である。
【図３】自然薯栽培器１００の概略の構成を示す図であり、（ａ）は蓋部１３０を取外した状態の上面図であり、（ｂ）は右側面の断面図である。
【図４】（ａ）は自然薯栽培器２００の概略の構成を示す右側面の断面図であり、（ｂ）は自然薯栽培器３００の概略の構成を示す右側面の断面図である。
【図５】自然薯栽培器４００の概略の構成を示す図であり、（ａ）は蓋部１３０を取外した状態の上面図であり、（ｂ）は右側面の断面図である。
【図６】自然薯栽培器５００の概略の構成を示す図であり、（ａ）は蓋部１３０を取外した状態の正面の断面図であり、（ｂ）は右側面の断面図である。
【図７】自然薯栽培システム６００の概略の構成を示す外観図である。
【発明を実施するための形態】
【００１８】
以下、本発明が適用された実施形態について図面を用いて説明する。なお、本発明の実施の形態は、下記の実施形態に何ら限定されることはなく、本発明の技術的範囲に属する限り種々の形態を採りうる。
【００１９】
［自然薯５の育ち方］
図１に基づき、まずは、自生地栽培をした場合の自然薯５の育ち方について説明する。図１は、自生栽培の場合の自然薯５の育ち方を説明するための図である。
【００２０】
図１に示すように、自然薯５は、空気中の蔓や葉の分と土壌中の根の部分とで栽培される。また、土壌中には、芽９があり、芽９から種芋６、吸収根７及び新生芋８が伸びている。このうち種芋６及び新生芋８は、茎の一部であって、養分を吸収しないものであり、むしろ、養分があると、芋が分岐したり腐ったりする場合がある。これに対し、吸収根７は、芽９から８〜１０本出て養分を吸収し、主に新生芋８に養分を供給し、新生芋８の成長を促す。また、吸収根７は、いわゆる浅根性を有しており、地表近くを広がるように伸びる。したがって、図１に示すように、種芋６及び吸収根７を土壌の浅い部分に埋設し、新生芋８が土壌の深い部分で成長するようにして、新生芋８を育成する。
【００２１】
［第１実施形態］
（自然薯栽培器１００の構成）
図２および図３に基づき、自然薯栽培器１００の構成について説明する。図２は、自然薯栽培器１００の構成を示す図であり、（ａ）は正面に対して右斜め上からの斜視図であり、（ｂ）は蓋部１３０を取外した状態の正面に対して右斜め上からの斜視図である。図３は、自然薯栽培器１００の概略の構成を示す図であり、（ａ）は蓋部１３０を取外した状態の上面図であり、（ｂ）は右側面の断面図である。
【００２２】
図２および図３に示すように、自然薯栽培器１００は、栽培容器１２０、蓋部１３０、および斜面部材１４０から構成されている。栽培容器１２０は、第２育成部１１５に対して第１育成部１０５を組み付けた構造の容器であって、自然薯５の栽培における種芋６、吸収根７及び新生芋８を育成するための土壌１２を内部に蓄積するとともに、内部で新生芋８を伸長させるものである。
【００２３】
第１育成部１０５は、自然薯５の栽培における種芋６及び吸収根７を育成するための土壌１２を内部に蓄積するものであり、断熱性を有する発泡スチロールで形成されるとともに、上下面に開口が形成された略筒状の部材である。また、第１育成部１０５の大きさは、平面の縦横の寸法が約３５０［ｍｍ］×約４００［ｍｍ］、深さが約２７０［ｍｍ］である。
【００２４】
第２育成部１１５は、自然薯５の栽培における新生芋８を育成するための土壌１２を内部に蓄積するものであり、断熱性を有する発泡スチロールで形成されているとともに、上面の略全てに亘って開口が形成された略直方体状の容器である。また、第２育成部１１５の大きさは、平面の縦横の寸法が約３５０［ｍｍ］×約９００［ｍｍ］、深さが約３００［ｍｍ］である。
【００２５】
蓋部１３０は、第２育成部１１５の上面の開口から内部に日光が射し込まれるのを防止するために、第２育成部１１５における上面の開口の一部を覆う所定の厚みの板状の部材であり、断熱性を有する発砲スチロールで形成されている。
【００２６】
斜面部材１４０は、断熱性を有する発砲スチロールで形成された三角柱状の部材であり、斜面を上向きにした状態で第２育成部１１５の内部に収納されることによって、第２育成部１１５の内部において第２育成部１１５の底面に対し約８度に傾斜した傾斜面１４２を形成するものである。また、斜面部材１４０の斜面には、傾斜した方向に延びる溝であって、深さが約５０［ｍｍ］の溝部１４５が４つ形成されている。
【００２７】
栽培容器１２０は、内部に斜面部材１４０を収納した第２育成部１１５の上面における長手方向の一端側に第１育成部１０５を組み付けた構造であって、第１育成部１０５の開口と第２育成部１１５の開口とが組み合わされて第１育成部１０５の開口の上方から第２育成部１１５の内部が視認可能となっている。また、第１育成部１０５が組み付けられる第２育成部１１５の一端側においては、斜面部材１４０の斜面の上部が配設されるような構成となっている。そして、栽培容器１２０における斜面部材１４０を収納した第２育成部１１５の内部の空間と、第１育成部により形成された内部の空間と、に土壌１２が蓄積されることとなる。さらに、第２育成部１１５の上面の開口において、新生芋８が伸長する方向の部分であって、第１育成部１０５が組み付けられていない部分は、蓋部１３０が載置されることで塞がれることとなる。
【００２８】
次に、図３に基づき、自然薯栽培器１００を用いた自然薯５の栽培方法について説明する。図３に示すように、まず、斜面部材１４０を収納した栽培容器１２０の内部に適量の土壌１２を充填する。そして、種芋６および吸収根７が第１育成部１０５の内部に位置するように土壌１２に横たえて埋め込み、土壌１２を栽培容器１２０の内部に満たしていく。また、自然薯５に水を供給するときには、第１育成部１０５の上側の開口から適量を供給することとなる。さらに、自然薯５の新生芋８は、第２育成部１１５の内部に形成された傾斜面１４２に沿って伸長し、特に、溝部１４５に嵌り込んだ状態で真っ直ぐに伸長することとなる。
【００２９】
なお、栽培容器１２０に蓄積される土壌１２は、鹿沼土に肥料を混ぜたものなどの他に、いわゆる土ではないが、食物等の栽培に用いられる腐葉土など自然薯５の栽培のための養分が多く含まれている栽培用の用土を含むものである。
【００３０】
（自然薯栽培器１００の特徴）
以上のような自然薯栽培器１００では、自然薯５を栽培容器１２０で栽培すると、種芋６および吸収根７が第１育成部１０５で育成され、栽培の際に成長して長く伸長していく新生芋８が第２育成部１１５で育成されることとなる。そして、第２育成部１１５においては、斜面部材１４０による傾斜面１４２が形成されているため、種芋６等に対し土中で斜めに成長するという自然薯５の特性が考慮され、傾斜面１４２に沿って新生芋８を育成することができる。つまり、このような自然薯栽培器１００であれば、長くて形状のよい新生芋８を栽培することができる。
【００３１】
また、第２育成部１１５の内部の傾斜面１４２において傾斜する方向に延びた溝部１４５が形成されているため、育成されている新生芋８は溝部１４５に沿って伸長できる。つまり、新生芋８が溝部１４５に沿って真っすぐに育成されることとなり、より長くて形状の良い新生芋８を栽培することができる。
【００３２】
さらに、第２育成部１１５および斜面部材１４０が断熱材である発泡スチロールで形成されているため、新生芋８を断熱材によって囲んだ状態で育成することができる。つまり、外気温の変化による新生芋８への影響を低減することができ、新生芋８の育成をより促進することができる。
【００３３】
そして、栽培容器１２０の第２育成部１１５の上面の開口において、新生芋８が伸長する方向の部分であって、第１育成部１０５が組み付けられていない部分が、蓋部１３０によって塞がれているため、開口からの第２育成部１１５に対する直射日光が射し込まれることを防ぐことができる。つまり、蓋部１３０によって、第２育成部１１５の内部の土壌１２における極度の乾燥を防ぐことができる。なお、蓋部１３０は、第２育成部１１５の開口から着脱可能な構成であるため、第２育成部１１５の内部の土壌１２が乾燥した場合には、蓋部１３０を取外して第２育成部１１５の内部の土壌１２への直接の水の供給をすることもできる。
【００３４】
［第２実施形態］
図４（ａ）に基づき、第２実施形態である自然薯栽培器２００について説明する。図４（ａ）は、自然薯栽培器２００の概略の構成を示す右側面の断面図である。なお、第２実施形態では、蓋部２３０を除けば、第１実施形態の自然薯栽培器１００と同じであるため、同じ部材については、同じ符号を付して説明を省略する。また、栽培容器１２０、および斜面部材１４０は、第１実施形態の自然薯栽培器１００における各々と同じ素材で形成されている。
【００３５】
図４（ａ）に示すように、自然薯栽培器２００における蓋部２３０には、側面のうちの長手面から対抗する長手面に亘って短手方向に形成された凹形状の溝である凹部が３つ形成されている。この凹部は、蓋部２３０が栽培容器１２０に設置されると、第２育成部１１５の内部を換気するための換気口２３５となる。なお、蓋部２３０は、第１実施形態の自然薯栽培器１００における蓋部１３０と同じく、断熱材である発泡スチロールで形成された所定の厚みの板状の部材である。
【００３６】
このような自然薯栽培器２００によれば、換気口２３５によって第２育成部１１５の内部における換気をすることができるため、夏場などの外気温が高温となるときに第２育成部１１５の内部が高温となってしまうことを防止することができる。つまり、このような自然薯栽培器２００であれば、栽培容器１２０の内部において、自然薯５が育成するための好適な環境にして、新生芋８の育成をより促進することができる。
【００３７】
［第３実施形態］
図４（ｂ）に基づき、第３実施形態である自然薯栽培器３００について説明する。図４（ｂ）は、自然薯栽培器３００の概略の構成を示す右側面の断面図である。なお、第３実施形態では、加圧部３５０を除けば、第１実施形態の自然薯栽培器１００と同じであるため、同じ部材については、同じ符号を付して説明を省略する。また、栽培容器１２０、蓋部１３０、および斜面部材１４０は、第１実施形態の自然薯栽培器１００における各々と同じ素材で形成されている。
【００３８】
図４（ｂ）に示すように、自然薯栽培器３００においては、所定の重さの板状の部材であって、第２育成部１１５の内部の土壌１２の上に載置されることで土壌１２を介して新生芋８に対して所定の圧力を加える加圧部材３５０を備えている。加圧部材３５０は、第２育成部１１５の内部の土壌１２の上において、斜面部材１４０の傾斜面１４２と略平行となるように載置される。つまり、第２育成部１１５の内部において、土壌１２と新生芋８とが、加圧部材３５０と斜面部材１４０の傾斜面１４２とによって挟まれることで、新生芋８の伸長する方向に対して垂直をなす方向から加圧部材３５０による所定の圧力が新生芋８に加えられることとなる。
【００３９】
このような自然薯栽培器３００であれば、第２育成部１１５の内部で加圧部材３５０によって新生芋８の伸長する方向に対して垂直をなす方向から新生芋８に所定の圧力が加えられるため、このような方向からの圧力が加えられない場合に比べて、より長くて形状の良い新生芋８を栽培することができる。
【００４０】
［第４実施形態］
図５に基づき、第４実施形態である自然薯栽培器４００について説明する。図５は、自然薯栽培器４００の概略の構成を示す図であり、（ａ）は蓋部１３０を取外した状態の上面図であり、（ｂ）は右側面の断面図である。なお、第４実施形態では、仕切部材４５０を除けば、第１実施形態の自然薯栽培器１００と同じであるため、同じ部材については、同じ符号を付して説明を省略する。また、栽培容器１２０、蓋部１３０、および斜面部材１４０は、第１実施形態の自然薯栽培器１００における各々と同じ素材で形成されている。
【００４１】
図５に示すように、自然薯栽培器４００は、断熱材である発泡スチロールから形成された板状の部材である仕切部材４５０を備えている。仕切部材４５０は、斜面部材１４０の傾斜面１４２から第１育成部１０５と第２育成部１１５とにおいて連通している開口を通って、第１育成部１０５の内部に至るまで鉛直方向に延設されるような形状である。また、自然薯栽培器４００における仕切部材４５０は、傾斜面１４２の溝部１４５と隣の溝部１４５との境となる部分に載置されており、４つの溝部１４５に対して３つの仕切部材４５０が設けられることで第１育成部１０５を４つの空間に分けている。
【００４２】
このような自然薯栽培器４００であれば、仕切部材１４５によって第１育成部１０５の内部が水平方向において複数の空間に分けられているため、複数の自然薯５を第１育成部１０５に対して水平方向に並べて栽培することができる。つまり、一つの自然薯栽培器４００で、複数の自然薯５を効率よく栽培することができる。また、仕切部材１４５によって分けられる空間は、第２育成部１１５の内部における傾斜面１４２の複数の溝部１４５の各々に対応するように分けられているため、この空間で栽培される自然薯５の新生芋８は溝部１４５に沿って育成されることとなる。つまり、一つの自然薯栽培器４００で、複数の新生芋８を溝部１４５に沿って真っすぐに育成することができる。
【００４３】
［第５実施形態］
図６に基づき、第５実施形態である自然薯栽培器５００について説明する。図６は、自然薯栽培器５００の概略の構成を示す図であり、（ａ）は蓋部１３０を取外した状態の正面の断面図であり、（ｂ）は右側面の断面図である。なお、第５実施形態では、第１育成部５０５を除けば、第１実施形態の自然薯栽培器１００と同じであるため、同じ部材については、同じ符号を付して説明を省略する。また、第２育成部１１５、蓋部１３０、および斜面部材１４０は、第１実施形態の自然薯栽培器１００における各々と同じ素材で形成されている。
【００４４】
図６に示すように、自然薯栽培器５００における第１育成部５０５の内部の壁面には、赤色等の目立つ彩色で刻印された第１刻印部５０７と第２刻印部５１０が設けられている。図６（ａ）に示すように、第１刻印部５０７は、第１育成部５０５の内部の壁面であって、第２育成部１１５の傾斜面１４２の４つの溝部１４５の各々に対応するように、各溝部１４５の延長線上となる位置に設けられている。また、図６（ｂ）に示すように、第２刻印部５１０は、第１育成部５０５の内部の壁面であって、種芋を載置するときに好適な深さとなる位置に設けられている。
【００４５】
このような自然薯栽培器５００によれば、栽培容器１２０の内部に土壌１２を充填するときに、第２刻印部５１０を目印にして充填して、種芋６を横たえて埋め込むことができる。また、第１刻印部５０７を目印にして、第１刻印部５０７に対応する位置に種芋６を埋め込むと、新生芋８が溝部１４５に沿って育成されることとなる。つまり、このような自然薯栽培器５００であれば、第１刻印部５０７および第２刻印部５１０が設けられていないものに比べて、自然薯５を栽培するときに種芋を好適な位置として栽培することができることとなる。
【００４６】
［第６実施形態］
図７に基づき、自然薯栽培システム６００について説明する。図７は、自然薯栽培システム６００の概略の構成を示す外観図である。図７に示すように、自然薯栽培システム６００は、２つの自然薯栽培器１００と、２つの自然薯栽培器１００を載置可能な固定部６５０から構成されている。また、固定部６５０は、基部６５２、座部６５４及び支柱６５６を備えている。
【００４７】
基部６５２は、固定部６５０の土台となる部分であり、スチールなどの金属の板材を平面形状が長方形になるように組み合わせて、溶接やボルトなどで接合した部材である。また、基部６５２の４隅には、自然薯栽培システム６００を移動できるようにするための車輪６５２ａが取り付けられている。
【００４８】
座部６５４は、自然薯栽培器１００を水平にした状態で載置するための部材であり、スチールなどの金属の板材を平面形状が長方形で、第２育成部１１５の底面が載置できる大きさになるように組み合わせて、溶接やボルトなどで接合した部材である。
【００４９】
支柱６５６は、基部６５２と座部６５４とを結合するための、スチールなどの金属の板材であり、基部６５２の長手方向の板材と座部６５４の短手方向の板材とを溶接やボルトで接合して、座部６５４を基部６５２に対して支えている。また、支柱６５６は、座部６５４を、水平となるように固定してある。
【００５０】
以上のような構成の固定部６５０に、複数（本実施形態では２個）の自然薯栽培器１００を鉛直方向に上下二段となるように並べて座部６５４に載置して固定する。また、下側の自然薯栽培器１００の第２育成部１１５の上方に、上側の自然薯栽培器１００の栽培容器１２０が配置するように固定される。
【００５１】
このような自然薯栽培システム６００であれば、２個の自然薯栽培器１００が上下二段となるように固定される。したがって、複数の固定部６５０を利用すれば、多数の自然薯栽培器１００を面積効率よく配置でき、ひいては少ない面積で多くの自然薯５を栽培することができる。
【００５２】
［その他の実施形態］
（１）上記実施形態において、栽培容器１２０、蓋部１３０および斜面部材１４０とは、断熱性を有する発砲スチロールで形成されているものとしたが、これらの全ておよびいずれかのものが、段ボールなどの紙製の材料や、プラスチック、塩化ビニルなどの樹脂、ステンレスなどの金属、あるいは紙などの自然素材で形成されていてもよい。例えば、栽培容器１２０の第２育成部１１５としては、家庭菜園に利用される市販の樹脂製プランターを利用して、内部の壁面に断熱材である発泡スチロールの板材を据え付けるような構成であってもよい。
【００５３】
（２）上記実施形態においては、栽培容器１２０における第１育成部１０５と第２育成部１１５とは組み付けて合体させているものとしたが、一体成型されていたり固着されていたりしていてもよい。例えば、第１育成部１０５を第２育成部１１５に組み付けた後に、接着剤等で互いに着脱不可能に接着されているようなものとすることもできる。
【００５４】
（３）上記実施形態においては、斜面部材１４０の傾斜面１４２における溝部１４５の数を４つとしたが、５つ以上であってもよい。また、各溝部１４５の深さにおいても、上記実施形態のものに比べて、深くても浅くてもよく、新生芋８が伸長するときの伸長方向のガイドとなるようなサイズであれば、どのようなサイズのものでもよい。
【００５５】
（４）上記第１〜３実施形態においては、１本の自然薯５を栽培していたが、栽培する自然薯５の数は、これに限定されるものではなく、第１育成部１０５の短手方向の長さに応じて、２本以上の自然薯５を並べて栽培してもよい。例えば、上記実施形態に比べ大きいサイズの自然薯栽培器であれば、第１育成部１０５の短手方向に複数の自然薯５を並べて栽培することができる。
【００５６】
（５）上記第４実施形態においては、栽培容器１２０の内部に設けられる仕切部材４５０の数を３つとしたが、２つ以下又は４つ以上であってもよい。例えば、上記実施形態に比べ大きいサイズの自然薯栽培器であれば、４つ以上の仕切部材４５０を設けるようにし、小さいサイズの自然薯栽培器であれば、２つ以下の仕切部材４５０を設けるようにしてもよい。また、第４実施形態の自然薯栽培器４００においては、仕切部材４５０が傾斜面１４２の溝部１４５と隣の溝部１４５との境となる部分に載置されていたが、載置される位置は、これに限定されず、自然薯５を効率よく栽培するために好適な空間に分けられるような間隔で、仕切部材４５０が設けられるようにしてもよい。さらに、上述のように溝部１４５の数が５つ以上となった場合などには、その溝部１４５の数に応じた数の仕切部材４５０を設けるようにしてもよい。
【００５７】
（６）上記第５実施形態においては、第１育成部５０５に設けられる第１刻印部５０７の数を４つとしたが、３つ以下又は５つ以上であってもよい。例えば、上述のように溝部１４５の数が５つ以上となった場合などには、その溝部１４５の数に応じた数の第１刻印部５０７を設けるようにしてもよい。また、溝部１４５の数に応じた数の第１刻印部５０７を設けることに限定されず、自然薯５を効率よく栽培するために好適な間隔で、複数の第１刻印部５０７が設けられるようにしてもよい。
【００５８】
（７）上記第６実施形態の自然薯栽培システム６００では、２個の自然薯栽培器１００が上下二段となるように固定されていたが、３個以上の自然薯栽培器１００が多段で固定される構造の固定部としてもよい。
【００５９】
（８）上記実施形態において、自然薯栽培器に充填される土壌１２は、１種類のものであったが、複数の種類のものであってもよい。例えば、土壌としては、鹿沼土に肥料を混ぜたものや、食物等の栽培に用いられる腐葉土などが考えられる。上記実施形態の自然薯栽培器１００に対して、このような複数種類の土壌を利用した栽培方法としては、第１育成部１０５に充填される土壌と、第２育成部１１５に充填される土壌との種類を変える方法が考えられる。ここで、第２育成部１１５に充填される土壌は、第１育成部１０５に充填される土壌に比べて、含まれている養分が少ないものとする。これは、第２育成部１１５で育成される新生芋は、茎の一部で養分を吸収しないものであり、養分があると分岐したり腐ったりする場合があるためである。
【００６０】
（９）上記実施形態においては、自然薯を栽培するための自然薯栽培器の実施形態を記載したが、本発明の実施形態としての栽培器は、自然薯だけでなく栽培方法が同じであれば、長芋などの山芋類の栽培にも適用可能であるため、自然薯としては長芋など栽培方法が同じ山芋類も含まれることを意味するものとする。
【符号の説明】
【００６１】
５…自然薯、６…種芋、７…吸収根、８…新生芋、９…芽、１２…土壌、１００，２００，３００，４００，５００…自然薯栽培器、１０５，５０５…第１育成部、１１５…第２育成部、１２０…栽培容器、１３０，２３０…蓋部、１４０…斜面部材、２３５…換気口、３５０…加圧部材、４５０…仕切部材、５０７…第１刻印部、５１０…第２刻印部、６００…自然薯栽培システム、６５０…固定部、６５２…基部、６５２ａ…車輪、６５４…座部、６５６…支柱。
【図１】
2019170282.tif 000003
【図２】
2019170282.tif 000004
【図３】
2019170282.tif 000005
【図４】
2019170282.tif 000006
【図５】
2019170282.tif 000007
【図６】
2019170282.tif 000008
【図７】
2019170282.tif 000009